(57)【要約】【課題】無線ＬＡＮの接続の設定が容易な接続設定方法を提供する。【解決手段】中継装置２は、他の端末と通信を確立することにより内部ネットワーク５を構成し、内部ネットワーク５と外部ネットワーク６との間の通信を中継する。送信機４は、中継装置２との通信の確立に必要な接続設定情報を多重化した、放送波の波長領域の電波を送信する。通信装置１は、放送波の波長領域の電波を受信する受信部１１、受信部１１が受信した電波から、接続設定情報を取得する接続設定情報取得部１２、接続設定情報取得部１２が取得した接続設定情報を記憶する記憶部１３、及び記憶部１３が記憶した接続設定情報を用いて接続設定を行うことにより、中継装置２と接続する通信部１４を備える。【選択図】図１
2013207490.tif 000002
【特許請求の範囲】
【請求項１】
他の端末と通信を確立することにより内部ネットワークを構成し、前記内部ネットワークと外部ネットワークとの間の通信を中継する中継装置と、
前記中継装置との通信の確立に必要な接続設定情報を多重化した、放送波の波長領域の電波を送信する送信機と、
前記放送波の波長領域の電波を受信する受信部、前記受信部が受信した電波から、前記接続設定情報を取得する接続設定情報取得部、前記接続設定情報取得部が取得した接続設定情報を記憶する記憶部、及び前記記憶部が記憶した接続設定情報を用いて接続設定を行うことにより、前記中継装置との通信を確立する通信部、を備える通信装置と
を備えることを特徴とする接続設定システム。
【請求項２】
前記送信機は、ＲＤＳ放送信号のデータ情報として前記接続設定情報を多重化し、
前記通信装置の前記受信部は、前記ＲＤＳ放送信号を受信し、
前記接続設定情報取得部は、前記受信部が受信したＲＤＳ放送信号より、前記接続設定情報を取得することを特徴とする請求項１に記載の接続設定システム。
【請求項３】
前記送信機は、前記中継装置と接続したＰＣ端末から、前記接続設定情報を取得することを特徴とする請求項１または２に記載の接続設定システム。
【請求項４】
放送波の波長領域の電波を受信する受信部と、
前記受信部が受信した電波から、中継装置との通信の確立に必要な接続設定情報を取得する接続設定情報取得部と、
前記接続設定情報取得部が取得した接続設定情報を記憶する記憶部と、
前記記憶部が記憶した接続設定情報を用いて接続設定を行うことにより、前記中継装置との通信の確立する通信部と
を備えることを特徴とする通信装置。
【請求項５】
前記接続設定情報取得部は、前記記憶部が前記中継装置との通信の確立を可能とする前記接続設定情報を記憶していない場合において、前記受信部が受信した電波から、前記接続設定情報を取得する処理を開始することを特徴とする請求項４に記載の通信装置。
【請求項６】
送信機が、中継装置との通信の確立に必要な接続設定情報を多重化した、放送波の波長領域の電波を送信するステップと、
通信装置が、前記送信機が送信した電波を受信するステップと、
前記受信するステップにおいて受信した電波から、前記接続設定情報を取得するステップと、
前記取得するステップにおいて取得した接続設定情報を記憶するステップと、
前記記憶するステップにおいて記憶した接続設定情報を用いて接続設定を行うことにより、前記中継装置との通信を確立するステップと
を含むことを特徴とする接続設定方法。
【発明の詳細な説明】
【技術分野】
【０００１】
本発明は、無線ＬＡＮにおける接続設定システム、通信装置及び接続設定方法に関する。
【背景技術】
【０００２】
無線ＬＡＮ（Local Area Network）ルータを使用する無線ＬＡＮ環境において、通信機器と無線ＬＡＮルータとの接続の設定を自動的に行う技術として、ＷＰＳ（Wi-Fi Protected Setup）規格のプッシュボタン方式（ＰＢＣ：Push Button Configuration）及びＰＩＮ（Personal Identification Number）コード方式などが知られている。
【０００３】
通信機器が、プッシュボタンやキーボードの入力装置、表示装置等を備えていない場合、通信機器と無線ＬＡＮルータとの接続は、一般に以下のような手順で行われる。（ａ）通信機器と、無線ＬＡＮルータに接続していたＰＣ（Personal Computer）端末とをアドホックモードで直接接続し、無線ＬＡＮルータの無線ＬＡＮ環境とは別の一時的な無線ＬＡＮ環境を構築する。（ｂ）ＰＣ端末が、通信機器に無線ＬＡＮルータとの接続に必要な設定情報を送信し、通信機器は、接続設定情報を受信して記憶する。（ｃ）ＰＣ端末及び通信機器は、アドホックモードの接続を破棄し、接続設定情報を用いて無線ＬＡＮルータに接続し、無線ＬＡＮ環境を構築する。
【先行技術文献】
【特許文献】
【０００４】
【特許文献１】特開２００５−１４２７９２号公報
【発明の概要】
【発明が解決しようとする課題】
【０００５】
上述のように、入力装置等を備えていない通信端末を、無線ＬＡＮルータに接続する場合、一時的なネットワークをアドホークモードで構築し、所望の設定が終われば元に戻すという非常に煩雑な操作が必要であった。
本発明は、上記問題を鑑み、無線ＬＡＮの接続の設定が容易な接続設定システム、通信装置及び接続設定方法を提供することを目的とする。
【課題を解決するための手段】
【０００６】
上記目的を達成するために、本発明の第１の態様は、他の端末と通信を確立することにより内部ネットワーク（５）を構成し、前記内部ネットワーク（５）と外部ネットワーク（５）との間の通信を中継する中継装置（２）と、前記中継装置（２）との通信の確立に必要な接続設定情報を多重化した、放送波の波長領域の電波を送信する送信機（４）と、前記送信機（４）が送信した電波を受信する受信部（１１）、前記受信部（１１）が受信した電波から、前記接続設定情報を取得する接続設定情報取得部（１２）、前記接続設定情報取得部（１２）が取得した接続設定情報を記憶する記憶部（１３）、及び前記記憶部（１３）が記憶した接続設定情報を用いて接続設定を行うことにより、前記中継装置（２）との通信を確立する通信部（１４）、を備える通信装置（１）とを備える接続設定システムであることを要旨とする。
また、本発明の第１の態様に係る接続設定システムにおいて、前記送信機（４）は、ＲＤＳ放送信号のデータ情報として、前記接続設定情報を多重化し、前記通信装置（１）の前記受信部（１１）は、ＲＤＳ放送信号を受信し、前記接続設定情報取得部（１２）は、前記受信部（１１）が受信したＲＤＳ放送信号より、前記接続設定情報を取得することができる。
【０００７】
また、本発明の第１の態様に係る接続設定システムにおいて、前記送信機（４）は、前記中継装置（２）と接続したＰＣ端末（３）から、前記接続設定情報を取得することができる。
【０００８】
本発明の第２の態様は、放送波の波長領域の電波を受信する受信部（１１）と、前記受信部（１１）が受信した電波から、中継装置（２）との通信の確立に必要な接続設定情報を取得する接続設定情報取得部（１２）と、前記接続設定情報取得部（１２）が取得した接続設定情報を記憶する記憶部（１３）と、前記記憶部（１３）が記憶した接続設定情報を用いて接続設定を行うことにより、前記中継装置（１３）との通信を確立する通信部（１４）とを備える通信装置であることを要旨とする。
【０００９】
また、本発明の第１の態様に係る接続設定システムにおいて、前記接続設定情報取得部（１２）は、前記記憶部（１３）が前記中継装置との通信の確立を可能とする前記接続設定情報を記憶していない場合において、前記受信部（１１）が受信した電波から、前記接続設定情報（１２）を取得する処理を開始することができる。
【００１０】
本発明の第３の態様は、送信機が、中継装置との通信の確立に必要な接続設定情報を多重化した、放送波の波長領域の電波を送信するステップと、通信装置が、前記送信機が送信した電波を受信するステップと、前記受信するステップにおいて受信した電波から、前記接続設定情報を取得するステップと、前記取得するステップにおいて取得した接続設定情報を記憶するステップと、前記記憶するステップにおいて記憶した接続設定情報を用いて接続設定を行うことにより、前記中継装置との通信を確立するステップとを含む接続設定方法であることを要旨とする。
【発明の効果】
【００１１】
本発明によれば、無線ＬＡＮの接続の設定が容易な接続設定システム、通信装置及び接続設定方法を提供できる。
【図面の簡単な説明】
【００１２】
【図１】本発明の実施の形態に係る接続設定システムの基本的な構成を説明するブロック図である。
【図２】本発明の実施の形態に係る接続設定システムにおける接続方法を説明するフローチャートである。
【発明を実施するための形態】
【００１３】
次に、図面を参照して、本発明の実施の形態を説明する。以下に示す実施の形態は、本発明の技術的思想を具体化するための装置や方法、及びこれらの装置に用いられるプログラムを例示するものであって、本発明の技術的思想は、下記の実施の形態に例示した装置や方法、及びこれらの装置に用いられるプログラムに特定するものでない。本発明の技術的思想は、特許請求の範囲に記載された技術的範囲内において、種々の変更を加えることができる。
【００１４】
本発明の実施の形態に係る接続設定システムは、図１に示すように、他の端末と接続することにより無線ネットワーク（内部ネットワーク）５を構成し、無線ネットワーク５とインターネット（外部ネットワーク）６との間の通信を中継する中継装置２と、中継装置２に接続するＰＣ端末３と、放送波の波長領域の電波に、データを多重化して送信する送信機４と、放送波の波長領域の電波を受信する通信装置１とを備える。
【００１５】
通信装置１は、例えば、放送波から取得した音声、映像等のマルチメディア信号を、ネットワークを介して、他の端末にリアルタイムにストリーム配信する、いわゆる無線ＬＡＮラジオからなる。中継装置２は、無線ＬＡＮルータからなる
【００１６】
ＰＣ端末３は、中継装置２と無線で接続している。ＰＣ端末３は、他の端末の１つであって、通信装置１からストリーム配信されたマルチメディア信号を、中継装置２を介して受信する。ＰＣ端末３は、通信部３１との接続に必要な、接続設定情報を記憶する記憶部３２と、接続設定情報を記憶部３２から読み出して出力する出力部３３とを備える。接続設定情報は、無線ＬＡＮルータである中継装置２との接続設定に必要な情報である。接続設定情報は、例えば、ＩＥＥＥ８０２．１１ｂ，ｇ，ｎ等の各規格の、中継装置２を識別する為の識別子であるＳＳＩＤ（Service Set Identifier）、暗号化方式、及び暗号化鍵等である。
【００１７】
ＳＳＩＤは、中継装置２に対応付けられた識別子であり、例えば最大３２文字の英数文字で表される。暗号化方式は、例えば暗号化なしを表すＮＯＮＥ、ＲＣ４（Rivest’s Cipher 4）アルゴリズムをベースにした秘密鍵暗号方式であるＷＥＰ（Wired Equivalent Privacy）、一時的な暗号鍵を生成する暗号化方式であるＴＫＩＰ（Temporal Key Integrity Protocol）、秘密鍵ブロック暗号の暗号化方式であるＡＥＳ（Advanced Encryption Standard）等から選択され、ＮＯＮＥ、ＷＥＰ、ＴＫＩＰ、ＡＥＳ等の文字列で表される。暗号化キーは、例えば最大６３文字からなる英数文字である。
【００１８】
送信機４は、ＰＣ端末３から出力された接続設定情報を入力する入力部４１と、入力部４１が入力した接続設定情報を放送波の波長領域の電波に多重化する多重化部４２と、多重化された電波を送信する送信部４３とを備える。送信機４は、例えば、ＦＭラジオの放送波にデータを多重化するＲＤＳ（Radio Data System）機能を有するＦＭトランスミッタからなる。送信機４は、例えば、多重化する信号のデータ構造の内、ＲＤＳのＲＴ（Radio Text）部に、接続設定情報を多重化する。この場合、ＰＣ端末３の出力部３３は、記憶部３２が記憶する接続設定情報を、ＲＤＳ用のデータとして、送信機４に出力すればよい。
【００１９】
ＲＤＳのＲＴ部は、実際の放送では放送されている楽曲名等を送信している部分である。具体的に、ＲＴ部が１回で送信できる文字数は６４文字に制限されているため、送信器４は、例えば次のように分割して送信する。１回目送信：'SSID-XXXXXXXXXXXXXXXXXXXXXXXXXXXXXXXX'（XXXXXXXXXXXXXXXXXXXXXXXXXXXXXXXXは中継装置２の識別子）、２回目送信：'ENC-YYYYY'（YYYYYはＮＯＮＥ、ＷＥＰ、ＴＫＩＰ、又はＡＥＳ）、３回目送信：'KEY-ST'（キー送信開始ヘッダ）、４回目送信：' ZZZZZZZZZZZZZZZZZZZZZZZZZZZZZZZZZZZZZZZZZZZZZZZZZZZZZZZZZZZZZZZZ '（ZZZZZZZZZZZZZZZZZZZZZZZZZZZZZZZZZZZZZZZZZZZZZZZZZZZZZZZZZZZZZZZZは暗号化キー、65文字以上の場合は65文字以降から最後までを継続して送信する。）、５回目送信：'KEY-SP'（キー送信終了ヘッダ）。
【００２０】
通信装置１は、放送波の波長領域の電波を受信する受信部１１と、受信部１１が受信した電波から、接続設定情報を取得する接続設定情報取得部１２と、接続設定情報取得部１２が取得した接続設定情報を記憶する記憶部１３と、接続設定情報取得部１２が取得した接続設定情報を用いて、中継装置２と接続する通信部１４と、接続設定情報取得部１２が接続設定情報を取得した旨を通知する表示部１５と、受信部１１が受信した電波を復調して音声、映像等のマルチメディア信号を取得するマルチメディア信号取得部１６と、マルチメディア信号取得部１６が取得したマルチメディア信号を出力する出力部１７とを備える。出力部１７は、例えばスピーカやディスプレイ装置等からなる。
【００２１】
受信部１１は、ＦＭ、ＡＭ、及び短波放送等の放送波を受信するチューナからなる。接続設定情報取得部１２は、受信部１１が受信した放送波をデマルチプレクッスすることにより、電波に多重化された情報を取得することができる。接続設定情報取得部１２は、送信機４が送信した電波から、送信機４により多重化された、ＲＤＳのＲＴ部に記述された接続設定情報を取得する。例えば、接続設定情報が５回に分割されて送信される場合、５回分のＲＤＳデータのＲＴ部から順次、接続設定情報を取得する。
【００２２】
通信部１４は、接続設定情報取得部１２が取得した接続設定情報を設定することにより、中継装置２との通信を確立する。通信部１４が、中継装置２と通信を確立することにより、通信装置１は、中継装置２が構成する無線ネットワーク５に含まれる。よって、通信装置１は、中継装置２を介して、ＰＣ端末３等の他の通信端末や、インターネット６等の外部ネットワークに接続できるようになる。
【００２３】
通信装置１は、その他、図示を省略したリセットボタンを備え、リセットボタンが押下されることにより、記憶部１３が記憶する接続設定情報を破棄し再起動できる。また、通信装置１は、マルチメディア信号取得部１６が取得したマルチメディア信号を所定のフォーマットに変換し、通信部１４を介して他の通信機器に送信するようにしてもよい。
【００２４】
図２のフローチャートを用いて、本発明の実施の形態に係る接続設定システムの動作の一例を説明する。
先ず、通信装置１は電源が投入されること、またはリセットボタンを押下されることにより、接続設定の処理を開始する。
【００２５】
ステップＳ１において、通信部１４は、記憶部１３が有効な接続設定情報を記憶しているか否かを判定する。ここで、有効な接続設定情報とは、通信部１４が中継装置２に接続可能となる接続設定情報である。有効な接続設定情報かどうかは、例えば、ＳＳＩＤ、暗号化方式及び、暗号化鍵等の情報をすべて記憶しているかどうかで判定する。記憶部１３が有効な接続設定情報を記憶している場合、ステップＳ５に進む。
【００２６】
記憶部１３が接続設定情報を記憶していない場合、ステップＳ２において、接続設定情報取得部１２は、受信部１１が受信する電波から、接続設定情報を取得する処理を開始する。このとき、受信部１１は、送信機４が送信する多重化付電波の受信状態として予め設定された周波数に同調させておく。また、受信部１１が、予め設定された周波数に同調させる前の周波数を記憶しておいて、接続設定の処理が終了した段階で、もとの周波数に戻しても良い。そうすることで、通信装置１は、ＰＣ端末３、中継装置２との通信を確立した後、すぐに、放送波の受信を行い、マルチメディア信号をストリーミング配信することができる。
【００２７】
ステップＳ３において、接続設定情報取得部１２は、送信機４が送信し、受信部１１が受信した電波をデマルチプレックスすることにより、多重化された電波に含まれる接続設定情報を取得する。
【００２８】
ステップＳ４において、記憶部１３は、接続設定情報取得部１２が取得した接続設定情報を記憶する。ステップＳ５において、通信部１４は、接続設定情報取得部１２が取得し、記憶部１３が記憶した接続設定情報を、記憶部１３から読み出す。
【００２９】
ステップＳ６において、通信部１４は、ステップＳ５において取得した接続設定情報を用いて接続設定することにより、中継装置２との接続を確立し、終了する。
【００３０】
本発明の実施の形態に係る接続設定システムによれば、通信装置１が、既に中継装置２と接続しているＰＣ端末等と、一時的なネットワークを構築する必要がなく、簡単に中継装置２との接続の設定を行うことができる。
【００３１】
また、本発明の実施の形態に係る接続設定システムによれば、ＲＤＳ機能を有するＦＭトランスミッタ、ＦＭ放送波を受信する通信装置１を用いて構成されることにより、低コストで製造され、また、放送波の受信部を効果的に利用することができる。
【００３２】
（その他の実施の形態）
上記のように、本発明の実施の形態を記載したが、この開示の一部をなす論述及び図面は本発明を限定するものであると理解すべきではない。この開示から当業者には様々な代替実施の形態、実施例及び運用技術が明らかとなろう。
【００３３】
上述の実施の形態においては、接続設定情報の多重化の方法として、ＦＭラジオのＲＤＳを用いた構成を説明したが、放送波はＦＭに限るものでなく、例えば地上デジタル放送等の映像を付加したものであってもよい。また、多重化についてもＲＤＳでなく、例えばＦＭ多重などの他の方式であってもよい。
【００３４】
また、上述の実施の形態においては、通信装置１、ＰＣ端末３及び送信機４の各機能をコンピュータに実現させるためのプログラムを用いて実現されてもよい。すなわち、本発明の実施の形態に係る接続設定システムの各機能をコンピュータに実現させるためのプログラムを含む。そのプログラムは、記録媒体から読み取られてコンピュータに取り込まれてもよいし、ネットワークを介して伝送されてコンピュータに取り込まれてもよい。
【００３５】
このように、本発明はここでは記載していない様々な実施の形態等を含むことは勿論である。したがって、本発明の技術的範囲は上記の説明から妥当な特許請求の範囲に係る発明特定事項によってのみ定められるものである。
【符号の説明】
【００３６】
１  通信装置
２  中継装置
３  ＰＣ端末
４  送信機
５  無線ネットワーク（内部ネットワーク）
６  インターネット（外部ネットワーク）
１１  受信部
１２  接続設定情報取得部
１３  記憶部
１４  通信部
１５  表示部
１６  マルチメディア信号取得部
１７  出力部
３１  通信部
３２  記憶部
３３  出力部
４１  入力部
４２  多重化部
４３  送信部
【図１】
2013207490.tif 000003
【図２】
2013207490.tif 000004